(57)【要約】【課題】車椅子等に乗った者も容易に撮影室に入って写真撮影を行うことができる。【解決手段】被写体が進入する撮影室１６と、撮影室１６内に設けられ、被写体が着座する椅子２４と、撮影室１６の椅子２４に着座した被写体を撮影する撮影部１７と、椅子２４を、被写体が着座する撮影位置と撮影室より待避した待避位置とに亘って水平方向に回動可能に支持する回動支持機構４０とを備え、回動支持機構４０は、撮影室を構成する側壁１４に回動可能に設けられる回動支持体４１と、一端が回動支持体４１に一体的に接続され、他端に椅子２４が取り付けられるリンクアーム４２とを有し、回動支持体４１を中心にリンクアーム４２に取り付けられた椅子２４を水平方向に回動支持する。【選択図】　図９
2004093966.tif 000002
【特許請求の範囲】
【請求項１】
被写体の撮影を行う撮影室と、
上記撮影室内に設けられ、被写体が着座する椅子と、
上記撮影室の上記椅子に着座した被写体を撮影する撮影手段と、
上記椅子を、上記撮影室内の撮影位置と上記撮影室より待避した待避位置とに亘って水平方向に回動可能に支持する回動支持機構とを備え、
上記回動支持機構は、上記撮影室を構成する側壁に回動可能に設けられる回動支持体と、一端が回動支持体に一体的に接続され、他端に上記椅子が取り付けられるリンクアームとを有し、上記回動支持体を中心に上記リンクアームに取り付けられた椅子を水平方向に回動支持する撮影装置。
【請求項２】
上記回動支持機構は、上記椅子を上記撮影位置に保持するように上記回動支持体の回動を規制する第１の回動規制部と、上記椅子を上記待避位置に保持するように上記回動支持体の回動を規制する第２の回動規制部と、上記側壁側の固定部と上記回動支持体とを接続し上記回動支持体を上記第１の回動規制部の方向と上記第２の回動規制部の方向の何れかの方向に付勢するトグル機構とを有する請求項１記載の撮影装置。
【請求項３】
上記回動支持体は、全体が略円筒状をなすように形成されるとともに、この回動支持体の一部を外部に臨ませる開口部の上記回動支持体の回動方向の側縁部は、内方側に折り曲げられ、折曲部が略円弧状をなすように形成されている請求項２記載の撮影装置。
【請求項４】
上記回動支持機構は、上記椅子を上記撮影位置にロックするロック機構を有し、
上記ロック機構は、上記椅子に設けられ、ロック位置とロック解除位置とに亘って回動可能な操作部材と、上記側壁側に設けられ、上記撮影位置にある回動支持体の上記待避位置の方向への回動を規制するストッパと、上記操作部材がロック解除位置の方向に回動されたことを検出する検出部と上記ストッパに対して係脱するロック片とを有するラッチ部材とを有し、上記ラッチ部材は、上記操作部材がロック解除位置の方向に回動されたことを検出部で検出したとき、上記ロック片の上記ストッパとの係合状態を解除し、上記回動支持体が記待避位置の方向へ回動可能な状態にする請求項２記載の撮影装置。
【請求項５】
上記椅子の下面には、上記被写体が着座したとき、更に、上記椅子を支持する支持機構が設けられ、
上記支持機構は、上記リンクアームに取り付けられたスリーブと、一端が上記椅子に取り付けられ、他端に上記椅子を支持する支持部が設けら、上記スリーブに略垂直方向に移動可能に取り付けられた支持部材と、上記支持部材の上記スリーブと上記椅子との間に配設され、上記椅子が取り付けられた支持部材を、上記支持部が設置面と離間する方向に付勢する付勢部材とを有し、上記支持部材は、上記被写体が上記椅子に着座したとき、この人物の重さにより上記付勢部材の付勢力に抗して支持部が設置面に接触する方向に移動する請求項１記載の撮像装置。
【請求項６】
上記撮影室は、上記撮影室の被写体正面と対峙する撮影面に対して略垂直な一対の側壁を有し、上記一対の側壁は、上記撮影面と対向する背面側に向かって長さが異なるように形成され、上記背面側の短い方の側壁の端部から長い方の側壁の端部に亘る領域が被写体の入り口とされ、
上記回動支持機構は、上記長い方の側壁に設けられ、上記椅子を上記長い方の側壁側に待避可能に回動支持する請求項１記載の撮影装置。
【請求項７】
上記回動支持部の上側には、物置台が設けられている請求項１記載の撮影装置。
【発明の詳細な説明】
【０００１】
【発明の属する技術分野】
本発明は、証明写真を撮ることができる撮影装置に関する。
【０００２】
【従来の技術】
従来、図１６に示すように、証明写真を撮る撮影装置１００は、略矩形の筐体１０１を有し、この筐体１０１には、内部に撮影室１０２が設けられている。この筐体１０１には、撮影室１０２に入った被写体となる人物の顔を撮影する撮影部１０３と、撮影部１０３が撮影した画像を印刷するプリンタ１０４とが内蔵されている。また、筐体１０１には、撮影室１０２に入るための入り口１０５が設けられており、入り口１０５には、遮光カーテン１０６が取り付けられている。
また、撮影室１０２には、被写体となる人物が着座する椅子１０７が設けられている。更に、撮影装置１００には、被写体を照射する照明器具１０９が設けられている他、図示しないコイン投入口や金庫等が設けられている。
【０００３】
このような撮影装置１００では、入り口１０５より被写体となる人物が撮影室１０２に入って椅子１０６に着座すると、撮影準備が完了した状態となる。そして、撮影装置１００では、椅子１０７に座っている被写体をフラッシュ撮影し、この撮像データをプリンタ１０４で出力する。
【０００４】
【発明が解決しようとする課題】
ところで、医療の分野において、医師や看護婦等の医療関係者は、カルテ、診察券等で患者を特定する必要がある。そこで、患者の顔写真をカルテ、診察券等に貼着して、医療関係者が患者を間違えて処方等をしないようにしている。カルテ、診察券等に貼着する顔写真の撮影は、上述した撮影装置１００が用いられている。
【０００５】
また、患者の中には、移動に車椅子や松葉杖が必要な者もいる。上述した撮影装置１００は、椅子１０７が床に固定されているため、車椅子に乗った者は、車椅子に乗ったまま撮影室１０２に入ることはできない。車椅子に乗った者が撮影装置１００で撮影するには、車椅子から椅子１０７に座り換える必要があり、身体が不自由な者にとって、極めて大変である。
【０００６】
本発明は、以上のような課題に鑑みてなされたものであり、その目的は、椅子を撮影室から待避可能とすることで、車椅子に乗ったままで撮影室に入ることができる撮影装置を提供することにある。
【０００７】
また、本発明の目的は、可動式の椅子を撮影位置にロックすることで、椅子に安全に座ることができる撮影装置を提供することにある。
【０００８】
更に、本発明は、椅子の移動操作を容易に行うことができ、また、安全に行うことができる撮影装置を提供することにある。
【０００９】
【課題を解決するための手段】
本発明に係る撮影装置は、上述した課題を解決すべく、被写体の撮影を行う撮影室と、撮影室内に設けられ、被写体が着座する椅子と、撮影室の椅子に着座した被写体を撮影する撮影手段と、椅子を、撮影室内の撮影位置と撮影室より待避した待避位置とに亘って水平方向に回動可能に支持する回動支持機構とを備える。そして、回動支持機構は、撮影室を構成する側壁に回動可能に設けられる回動支持体と、一端が回動支持体に一体的に接続され、他端に椅子が取り付けられるリンクアームとを有し、回動支持体を中心にリンクアームに取り付けられた椅子を水平方向に回動支持する。
【００１０】
この回動支持機構は、例えば、椅子を撮影位置に保持するように回動支持体の回動を規制する第１の回動規制部と、椅子を待避位置に保持するように回動支持体の回動を規制する第２の回動規制部と、側壁側の固定部と回動支持体とを接続し回動支持体を第１の回動規制部の方向と第２の回動規制部の方向の何れかの方向に付勢するトグル機構とを有する。
【００１１】
更に、回動支持機構は、椅子を撮影位置にロックするロック機構を有し、ロック機構は、椅子に設けられ、ロック位置とロック解除位置とに亘って回動可能な操作部材と、側壁側に設けられ、撮影位置にある回動支持体の待避位置の方向への回動を規制するストッパと、操作部材がロック解除位置の方向に回動されたことを検出する検出部とストッパに対して係脱するロック片とを有するラッチ部材とを有し、ラッチ部材は、操作部材がロック解除位置の方向に回動されたことを検出部で検出したとき、ロック片のストッパとの係合状態を解除し、回動支持体が記待避位置の方向へ回動可能な状態にする。
【００１２】
椅子の下面には、被写体が着座したとき、更に、椅子を支持する支持機構が設けられ、支持機構は、リンクアームに取り付けられたスリーブと、一端が椅子に取り付けられ、他端に椅子を支持する支持部が設けら、スリーブに略垂直方向に移動可能に取り付けられた支持部材と、支持部材のスリーブと椅子との間に配設され、椅子が取り付けられた支持部材を、支持部が設置面と離間する方向に付勢する付勢部材とを有し、支持部材は、被写体が椅子に着座したとき、この人物の重さにより付勢部材の付勢力に抗して支持部が設置面に接触する方向に移動する。
【００１３】
【発明の実施の形態】
以下、本発明に係る撮影装置が適用された撮影装置について、図面を参照して説明する。
【００１４】
図１乃至図３に示すように、本発明を適用した撮影装置１は、病院等に設置されて患者等の顔写真を撮影するために用いられる写真ブースを構成するものであり、本体部を構成する筐体１１を有する。この筐体１１は、背面部１２に相対向して設けられる側壁１３，１４と、側壁１３，１４間を閉塞し天井を構成する天板１５とを有し、背面部１２と一対の側壁１３，１４と天板１５とで構成される空間部に撮影室１６が設けられている。
【００１５】
被写体となる人物が撮影室１６に入ったときに対向する背面部１２には、その内部に、被写体を撮影するための撮像部１７、撮像部１７が撮影した画像を印刷するプリンタ１８，１９、撮像部１７の出力である画像信号をアナログ信号からディジタル信号に変換する等の画像処理を行う画像処理回路、全体の動作を制御する制御回路等の様々な電気回路が組み込まれたメイン基板２１等が内蔵されている。撮像部１７は、ＣＣＤ（Ｃｈａｒｇｅ−Ｃｏｕｐｌｅｄ　Ｄｅｖｉｃｅ）等の撮像素子を有する撮像装置１７ａと、撮影室１６の被写体となる人物と向き合う面に設けられるハーフミラー１７ｂと、ハーフミラー１７ｂを透過した光を反射する反射板１７ｃとを有する。ハーフミラー１７ｂは、被写体を撮影するとき、ハーフミラー１７ｂで被写体からの光を所定量反射させることで被写体となる人物が自分の顔を見ることができるようにするとともに、残りの光を透過し、撮像装置１７ａが被写体を取り込むことができるようにする。ハーフミラー１７ｂを透過した光は、反射板１７ｃで反射されて撮像装置１７ａへと導かれ、これによって、撮像装置１７ａは、被写体を撮影する。撮像装置１７ａからの出力は、メイン基板２１の画像処理回路に出力され、ディジタル処理がなされ、これをプリンタ１８若しくは１９に出力する。
【００１６】
第１のプリンタ１８は、通常使用するメインプリンタであり、第２のプリンタ１９は、第１のプリンタ１８が故障したとき等に使用される補助プリンタである。ディジタル信号に変換された画像データは、第１のプリンタ１８若しくは第２のプリンタ１９に出力され、プリンタ１８，１９で印画紙に印刷される。その他に、筐体１１を構成する背面部１２には、電源スイッチ２０ａ、金庫２０ｂ等が内蔵されている。
【００１７】
側壁１３，１４は、このような背面部１２と一体的に、互いに略平行となすように設けられている。背面部１２を構成する外壁とともに側壁１３，１４は、鉄板等比較的比重の重い材料で形成することで、筐体１１の下側を重くし、安定して設置面２に設置できるように形成されている。一方の側壁１３は、他方の側壁１４より短くなるように形成されている。筐体１１は、長い側の他方の側壁１４が、壁に沿うように設置される。短い側となる一方の側壁１３には、設置面２と接続する転倒防止部材２２が取り付けられる。転倒防止部材２２は、設置面２、一方の側壁１３のそれぞれをねじ止め等することで、筐体１１が一方の側壁１３側から押されたときにも倒れないようにしている。そして、他方の側壁１４は、一方の側壁１３より長く形成することで、一方の側壁１３側から力が加えられたときにも、筐体１１を十分支持できるように形成されている。
【００１８】
側壁１３，１４間に取り付けられる天板１５は、撮影室１６の天井を構成するものであり、長手方向の長さが長い側となる他方の側壁１４と略同じ若しくは他方の側壁１４よりやや長く形成されている。ここで、天板１５は、ポリプロピレン等の樹脂材料で形成されている。すなわち、天板１５は、側壁１３，１４に比べて比重の軽い材料で形成されている。筐体１１は、側壁１３，１４を含む周面を鉄板等の比較的比重の重い材料で形成し、上方に位置する天板１５を比重の比較的軽い材料で形成し、下側が重くなるように形成することで、安定して設置面２に設置できるようにしている。
【００１９】
撮影室１６は、以上のような背面部１２と一体的に形成される一対の側壁１３，１４と天板１５とで構成され、一方の側壁１３の端部と他方の側壁１４の端部との間が撮影室１６の入り口２３とされている。すなわち、被写体となる人物は、筐体１１の前面側からと一方の側壁１３側から撮影室１６に入ることができる。筐体１１は、底板が設けられておらず、従って、撮影室１６の床は、設置面２となっており、撮影室１６の床は、設置面２と面一になっている。したがって、撮影室１６の入り口２３には、段差がなく、車椅子等に乗った患者も、車椅子等に乗ったまま撮影室１６に入ることができる。
【００２０】
ここで撮影室１６の詳細を説明すると、撮影室１６には、長い側の他方の側壁１４に回動支持された椅子２４が設けられている。この椅子２４には、被写体となる人物が座る。この撮影室１６には、車椅子等に乗った患者も入り口２３より入ることがあり、この場合は、椅子２４が邪魔となる。そこで、この椅子２４は、長い側の他方の側壁１４側に待避させ、車椅子の患者が撮影室１６に入ることができるようにしている。また、この椅子２４の高さは、車椅子の座る部分と略同じ高さとなっている。撮像部１７は、機構を簡素化するため、位置を変えることはできず固定となっている。被写体となる人物には、車椅子に乗った者と乗っていない者とがおり、それによって、顔の高さは異なる。そこで、椅子２４は、車椅子の高さと略同じとすることで、車椅子に乗っていない者が椅子２４に座ったときの顔の高さと車椅子に乗った者の顔の高さとが略同じになるようにし、撮像部１７が固定であっても確実に被写体となる人物の顔を確実に撮影することができるようにしている。なお、椅子２４の長い方の側壁１４側の隣には、物置台２５が設けられおり、物置台２５には、撮影時被写体となる人物が鞄等を置くことができる。
【００２１】
椅子２４に座った若しくは撮影室１６に入った車椅子に乗った患者と対向する面は、撮影面１６ａとなり、この撮影面１６ａは、撮像部１７を構成する撮像装置１７ａの光軸と垂直となるように形成され、この面の被写体となる人物の顔と対向する位置に、撮像部１７を構成する略矩形のハーフミラー１７ｂが設けられている。このハーフミラー１７ｂは、椅子２４に座った若しくは車椅子に座っている患者がハーフミラー１７ｂで自分の顔を見ながら撮影を行うことができるようにする。
【００２２】
このハーフミラー１７ｂが設けられた撮影面１６ａと左右に隣り合う面は、被写体を照射する照射面１６ｂ，１６ｃとなり、互いに向き合う方向に、撮影面１６ａに対して傾斜するように設けられている。これら第１及び第２の照射面１６ｂ，１６ｃには、被写体となる人物を照らす照明器具２６，２７が設けられている。照明器具２６，２７は、発光体が内蔵されており、撮影時に点灯されることで、フラッシュ撮影を行うことができるようになっている。照明器具２６，２７は、従来、被写体の正面上方から光を照射していたのに対して、被写体の左右斜め前方から光を被写体に光を照射するようにし、被写体の顔の額と顎との間、すなわち顔の上下で照明差が発生しないようにし、また、しわに影が発生することを防止してしわが目立たないようにしている。
【００２３】
ところで、図４に示すように、第１の照射面１６ｂに設けられた照明器具２６と第２の照射面１６ｃに設けられた照明器具２７とは、撮像装置１７ａの光軸Ｌと椅子のセンタＯ１とを結ぶ線と照明器具２６，２７のセンタＯ２，Ｏ３と椅子２４のセンタＯ１とを結ぶ線とがなす角θ１，θ２を有するように設けられている。θ１，θ２は、撮影時に、顔に滑らかな影ができ、眼鏡に照明の写り込みがなく、背景に影が出にくい角度に設定され、例えば３０°〜７０°、好ましくは５０°とされる。
【００２４】
また、写真に写し出された顔は、一般に左右で照明差があった方が看者によく見えるものである。そこで、照明装置２６，２７は、照明差が発生するように被写体を照射するようにしている。例えば、照明器具２６，２７は、照明差が例えば１：１．５〜１：３、好ましくは１：２となるように被写体を照射する。なお、光を強くする方の照明器具は、何れであってもよい。これによって、写真は、柔らかな影が形成され、平面的でなく立体的に被写体を写し出すことができる。
なお、この撮影装置１では、撮像部１７の撮像装置１７ａにＣＣＤを用いている。ＣＣＤは、銀塩フィルムを用いるカメラ（銀塩カメラ）に比べてラティチュード（ｌａｔｉｔｕｄｅ）が狭い。そこで、この照明差は、銀塩カメラに比べて比が小さくなるように設定される。
【００２５】
なお、効果確認として、図５に被写体に対して光を、被写体の正面上方から照射して撮影した図を示し、図６に、照明器具２６，２７を用いて被写体の左右斜め前方から光を照射して撮影した図を示す。これらを比較すると、図６の方が被写体の額のしわは目立っていない。これは、上述したように、被写体の左右斜め前方から光を照射することで、顔の上下で照明差がなくなり、また、しわに影が発生しなくなるためである。
【００２６】
なお、更に、この撮影室１６には、照明器具２６，２７他に、被写体を下側から照射する照明器具２８が設けられている。この照明器具２８は、撮影面１６ａであってハーフミラー１７ｂの下側に撮影室１６側に突出して形成された突出部２８ａの上側の面２８ｂに設けられ、照射方向が斜め上方となるように設けられている。
【００２７】
また、撮影室１６には、図１乃至図３に示すように、被写体の正面側であって、一方の側壁１３側に操作部を構成する料金投入部２９が設けられている。料金投入部２９は、コインを投球するコイン投入部と紙幣を投入する紙幣投入部とからなり、これら投入部は、人が椅子２４座ったとき、手で料金を投入し易い高さに設けられている。椅子２４は、上述したように車椅子の高さに合わせて設けられていることから、車椅子に乗った人も、容易に料金投入部２９に料金を投入することができる。また、料金投入部２９は、短い一方の側壁１３側に設けられていることから、被写体となる人物の補助者も入り口２３側から容易に料金を投入することができる。
【００２８】
なお、本例では、操作部として、料金投入部２９が設けられているのみであるが、その他に、撮影を開始する撮影開始ボタン、撮影した画像をプリンタ１８，１９で印刷する前に確認する確認ボタン等を設けるようにしてもよく、この場合、これらのボタンも、被写体の正面側であって、一方の側壁１３側に設けられる。これによって、入り口２３に立った補助者も操作部の操作を容易に行うことができる。
【００２９】
突出部２８ａの下側には、被写体となる人の撮影位置を位置決めするための位置決め凹部３１が設けられている。この位置決め凹部３１が設けられる位置は、椅子２４又は車椅子に座った人の膝を収めることができる高さに設けられている。撮影をするとき、被写体となる人は、椅子２４に座り、又は、撮影室１６に車椅子で入り口２３より入り、膝を位置決め凹部３１に係合させることによって、容易に撮影位置を位置決めすることができる。すなわち、被写体となる人は、膝を位置決め凹部３１に係合させることによって、ハーフミラー１７ｂに対して正面を向くようになる。
【００３０】
また、撮影室１６には、撮影室１６に被写体が入ったかどうかを検出する被写体検出部３２が設けられている。被写体検出部３２は、天板１５の椅子２４の上に設けられ、被写体が撮影位置に居ることを検出することができるようになっている。被写体検出部３３は、被写体を検出すると、この検出信号を、メイン基板２１の制御回路に出力し、待機モードから写真撮影モードに切り換える。
【００３１】
なお、この被写体検出部３２は、上述した位置決め凹部３１内に設けるようにしてもよい。天板１５に被写体検出部３２を設けたときには、例えば被写体となる人が撮影室１６内で立っているとき等実際には撮影位置に居ないときも被写体を検出してしまうが、被写体検出部３２を位置決め凹部３１内に設けたときには、膝が位置決め凹部３１に係合していない限り被写体を検出することができないことから、確実に撮影位置にある被写体を検出することができる。被写体検出部３２は、天板１５、位置決め凹部３１の何れか一方に設けてもよく、また、より正確な検出を行うため両方に設けてもよい。
【００３２】
天板１５の入り口２３となる領域には、図示しないカーテンレールやフックが設けられており、このカーテンレールに移動可能に係合されたフックには、遮光部材となるカーテン３３が垂下されており、入り口２３を開閉できるようになっている。このカーテン３３は、遮光性のものであり、撮影時に外光が撮影室１６内に入らないようにしている。このカーテン３３は、図７に示すように、撮影室１６へ出入りするときには簡単に移動させて容易に入ることができる。カーテン３３をフックに固定したときには、正面入り口のカーテン３３にスリット３３ａを設けることにより入り易くなる。カーテン３３の撮影室１６側の面であって、被写体の背後となる領域は、写真の背景となる領域である。このため、スリット３３ａは、写真の背景となる領域を除く領域に設けられている。なお、遮光部材として、カーテン３３の他にプレート等を用いるようにしてもよい。
【００３３】
入り口２３を構成する短い側の側壁１３の端部の略中央領域には、垂直方向に第１の手摺り３４が設けられており、松葉杖をついた患者、車椅子に乗った患者等の身体障害者が入り口２３より撮影室１６内に入り易いようになっている。また、入り口２３を構成する長い側の他方の側壁１４の端部上方には、垂直方向に第２の手摺り３５が設けられ、例えば松葉杖をついた患者が入り口２３より撮影室１６内へ入り易いようになっている。更に、他方の側壁１４であって、操作部を構成する料金投入部２９と略同じ高さには、水平方向に第３の手摺り３６が設けられ、例えば椅子に座った被写体となる人や車椅子に乗った人が撮影位置の調整を容易に行うことができるようになっている。
【００３４】
なお、短い側の一方の側壁１３には、外面側に、プリンタ１８，１９で印刷された写真が排出される写真排出口３８が設けられている。
【００３５】
ところで、椅子２４は、回動支持機構４０を介して長い側の他方の側壁１４に取り付けられている。この回動支持機構４０は、椅子２４を、被写体となる人物が撮影時に着座する撮影位置と、車椅子等に座った者が撮影室１６に進入できるようにするため椅子２４を撮影室１６外に待避させる待避位置とに亘って水平方向に回動させるものであり、図８に示すように、物置台２５の位置に設けられる回動支持体４１と、この回動支持体４１と椅子２４とを接続するリンクアーム４２とを備える。
【００３６】
図９及び図１０に示すように、回動支持体４１は、物置台２５の下側に設けられたケース４３に回動可能に収納されている。回動支持体４１は、略円筒状に形成されており、各端面の中心には、支軸４４，４４が立設されている。支軸４４，４４は、図示しないがケース４３内に設けられた軸孔に係合され、回動支持体４１は、ケース４３内で、図９及び図１０中矢印Ａ１方向及び矢印Ａ２方向に回動可能に支持される。
【００３７】
ケース４３内に配設された回動支持体４１は、ケース４３に設けられた開口部４５より一部が外部に臨まされる。開口部４５に外部に臨まされた部分は、椅子２４と回動支持体４１とを接続するリンクアーム４２が一体的に取り付けられる。また、回動支持体４１の回動方向となる開口部４５の開口端は、内部がケース４３の内側に折り曲げられ、折り曲げ部４５ａの外面が略円弧状をなすように形成されている。回動支持体４１が略円筒状に形成され、開口部４５の折り曲げ部４５ａが略円弧状に形成されることで、回動支持体４１と折り曲げ部４５ａとの境界部から、利用者の指等が挟まれにくくしている。
【００３８】
この回動支持体４１は、ケース４３の固定板４６とトグル部材４７によって接続されている。トグル部材４７は、引張コイルバネ、ゴム等の付勢部材であり、一端が、回動支持体４１の一方の端面に突設された係止突起４７ａに係止され、他端が、固定板４６に設けられた係止突起４７ｂに係止されている。トグル部材４７は、選択的に、回動支持体４１を図９及び図１０中矢印Ａ１方向又は図９及び図１０中反矢印Ａ１方向に回動付勢する。すなわち、トグル部材４７は、回動支持体４１が何れか一方に回動すると、伸長し、最大に伸長する中立点を過ぎると、回動支持体４１を他方の方向に回動付勢する。トグル部材４７は、回動支持体４１を二つのポジションに回動付勢する。
【００３９】
回動支持体４１の一方の端面に設けられたトグル部材４７の一端が係止される係止突起４７ａは、回動支持体４１の回動範囲を規制するための回動制御部としても機能する。ケース３４側には、図９及び図１０中矢印Ａ１方向の回動を規制する第１の回動規制片４８と、図９及び図１０中反矢印Ａ１方向の回動を規制する回動回動規制片４９とが設けられている。回動支持体４１は、第１の回動規制片４８と第２の回動規制片４９との間を回動し、トグル部材４７により図９及び図１０中矢印Ａ１方向又は図９及び図１０中反矢印Ａ１方向に回動付勢されている回動支持体４１は、係止突起４７ａが第１の回動規制片４８又は第２の回動規制片４９に押さえつけられることで、各位置に保持される。
【００４０】
以上のように回動する回動支持体４１には、開口部４５より外部に臨まされる領域に、リンクアーム４２が溶接等により一体的に設けられる。リンクアーム４２は、その先端部が、椅子２４の下面略中央に取り付けられる。なお、リンクアーム４２は、強度補強のため、複数本設けるようにしてもよい。
【００４１】
以上のような回動支持機構４０には、更に、椅子２４を、被写体となる人物が撮影時に着座する撮影位置にロックするロック機構５１が設けられている。このロック機構５１は、図９に示すように、利用者が操作する操作部材５２と、回動支持体４１の図９中矢印Ａ１方向への回動を規制するストッパ５３と、操作部材５２が利用者によって操作されたことを検出するラッチ５４とを有する。
【００４２】
操作部材５２は、椅子２４の下面側に取り付けられる長尺状の部材であり、一端に、利用者は操作をし易くするためのグリップ５５が操作部材５２に対して略垂直に設けられている。操作部材５２は、その中程が椅子２４の下面に設けられた支軸５６によって回動可能に支持されている。操作部材５２は、この支軸５６を中心にして、椅子２４を撮影位置にロックするロック位置と待避位置への回動を可能とするロック解除位置とに亘って、すなわち図９中矢印Ｂ１方向及び反矢印Ｂ２方向に回動する。この操作部材５２は、引張コイルバネ、ゴム等の付勢部材５７によって、ロック位置である図９中矢印Ｂ１方向に支軸５６を中心にして回動付勢されている。この付勢部材５７は、一端が操作部材５２の他端側に係止され、他端が椅子２４の下面に係止されることで、上述のようにロック位置である図９中矢印Ｂ１方向に支軸５６を中心にして操作部材５２を回動付勢する。
【００４３】
ロック機構５１には、椅子２４の下面に設けられた操作部材５２の動作をケース４３に設けられたラッチ５３に伝達する伝達機構６１が設けられている。この伝達機構６１は、外観が悪くならないように、リンクアーム４２に沿って設けられている。この伝達機構６１は、操作部材５２の他端に回動可能に取り付けられ回動動作を直線動作に変換する変換レバー６２と、変換レバー６２に回動可能に取り付けられるスライド操作レバー６３と、スライド操作レバー６３によってスライド操作されるスライドレバー６４と、スライドレバー６４の直線動作を回動動作に変換し、ラッチ５３を押圧する押圧レバー６５とを備える。
【００４４】
図９に示すように、変換レバー６２は、椅子２４の下面に設けられ、一端が、操作部材５２の付勢部材５７が係止された他端に回動可能に取り付けられ、他端が、スライド操作レバー６３の一端に回動可能に取り付けられる。
【００４５】
スライド操作レバー６３は、図１１に示すように、その中ほどに長孔の接続孔６３ａが設けられ、この接続孔６３ａには、スライドレバー６４の一端に設けられた接続突起６４ａが係合される。このスライド操作レバー６３は、一端に、支軸６３ｃを介して、変換レバー６２の他端が回動可能に取り付けられる。また、スライド操作レバー６３は、他端が、椅子２４の下面に設けられた支軸６３ｂによって回動可能に取り付けられている。
【００４６】
スライドレバー６４は、長尺状の部材であって、リンクアーム４２に沿って、リンクアーム４２の下側に配設される。スライドレバー６４は、図９に示すように、複数のガイド孔６６が設けられており、これらガイド孔６６には、椅子２４の下面及びリンクアーム４２に設けられた複数のガイド突起６７が係合され、図９中矢印Ｃ１方向及び矢印Ｃ２方向にスライド可能に取り付けられている。このスライドレバー６４は、一端に接続突起６４ａが設けられている。この接続突起６４ａは、スライド操作レバー６３の接続孔６３ａに係合される。また、スライドレバー６４の他端には、図１０に示すように、押圧レバー６５に接続するための接続突起６４ｂが設けられている。この接続突起６４ｂは、押圧レバー６５の接続孔６５ａに係合される。すなわち、スライドレバー６４は、操作部材５２が回動操作されると、変換レバー６２とスライド操作レバー６３を介して図９及び図１０中矢印Ｃ１方向及び矢印Ｃ２方向にスライドする。
【００４７】
押圧レバー６５は、図１０に示すように、中程で、ケース４３に設けられた支軸６８に回動可能に取り付けられている。押圧レバー６５は、他端に、長孔の接続孔６５ａが設けられ、この接続孔６５ａにスライドレバー６４の他端に設けられた接続突起６４ｂが係合されることによって接続されている。押圧レバー６５の一端は、ラッチ５３を押圧する押圧部６９となる。この押圧レバー６５は、スライドレバー６４が図１０中矢印Ｃ２方向に移動しているとき、ラッチ５４を押圧しない図１０中矢印Ｄ２方向に回動した状態にあり、スライドレバー６４が図１０中矢印Ｃ１方向に移動すると、支軸６８を中心にラッチ５４を押圧する図１０中矢印Ｄ２方向に回動する。
【００４８】
ラッチ５４は、回動支持体４１の一方の端面に設けられている。ラッチ５４は、本体部７１と、回動支持体４１の一方の端面に取り付けられる本体部７１に設けられ、押圧レバー６５の押圧部６９と対向して位置され押圧部６９に押圧される被押圧部７２と、本体部７１に設けられ、本体部７１から出没する規制部７３とを有する。規制部７３は、本体部７１より出没することで、ケース４３に設けられたストッパ５３に対して係脱する。すなわち、規制部７３は、被押圧部７２が押圧レバー６５の押圧部６９により押圧されていないとき、本体部７１より突出し、ストッパ５３に係合し、回動支持体４１の図９中矢印Ａ１方向の回動を禁止する。また、規制部７３は、被押圧部７２を押圧レバー６５の押圧部６９が押圧したとき、本体部７１に引っ込み、回動支持体４１が図９中矢印Ａ１方向の回動を許可する。
【００４９】
以上のように構成された回動支持機構４０が椅子２４を撮影室１６内の撮影位置にあるときを説明すると、ケース４３に支軸４４，４４を中心に図９及び図１０中矢印Ａ１方向及び矢印Ａ２方向に回動可能に支持されている回動支持体４１は、トグル部材４７の付勢力によって、図９及び図１０中矢印Ａ２方向に回動付勢され、ケース４３に設けられた第２の回動規制片４９に突き当てられた状態に保持されている。したがって、回動支持体４１に一体的に取り付けられている椅子２４は、図８に示すように、リンクアーム４２を介して撮影室１６内の撮影位置にある。
【００５０】
このとき、ロック機構５１を構成する操作部材５２は、図９に示すように、付勢部材５７の付勢力によって、椅子２４の下面に設けられた支軸５６を中心にして、ロック位置である図９中矢印Ｂ１方向に回動された状態にある。したがって、操作部材５２と接続されている変換レバー６２は、図９中矢印Ｃ２方向に移動しており、支軸６３ｂに回動可能に取り付けられているスライド操作レバー６３は、変換レバー６２と接続された他端が図９中矢印Ｃ２方向に移動し、接続孔６３ａに接続突起６４ａが係合されることにより中程で接続されたスライドレバー６４も、変換レバー６２と同方向の図９中矢印Ｃ２方向にスライドする。したがって、スライドレバー６４の他端に設けられた接続突起６４ｂが接続孔６５ａに係合されることにより接続された押圧レバー６５は、押圧部６９が図１０中矢印Ｄ１方向に回動し、ラッチ５４の被押圧部７２を押圧していない状態にある。したがって、ラッチ５４は、規制部７３が本体部７１より突出し、ケース４３に設けられたストッパ５３に係合し、回動支持体４１の図１０中矢印Ａ１方向への回動を禁止している。以上のように撮影位置にロックされている椅子２４は、図１０中矢印Ａ１方向への回動が禁止されていることで、利用者は、安全に椅子２４に座ることができる。
【００５１】
次に、椅子２４を待避位置に回動操作する場合を説明する。利用者が、操作部材５２を図９中矢印Ｂ２方向に回動操作すると、操作部材５２に接続された変換レバー６２は、図９に示すように、図９中矢印Ｃ１方向に移動し、支軸６３ｂに回動可能に取り付けられているスライド操作レバー６３は、変換レバー６２と接続された他端が図９中矢印Ｃ１方向に移動し、接続孔６３ａに接続突起６４ａが係合されることにより中程で接続されたスライドレバー６４も、変換レバー６２と同方向の図９中矢印Ｃ１方向にスライドする。したがって、スライドレバー６４の他端に設けられた接続突起６４ｂが接続孔６５ａに係合されることにより接続された押圧レバー６５は、押圧部６９が図１０中矢印Ｄ２方向に回動し、ラッチ５４の被押圧部７２を押圧する。すると、ラッチ５４の規制部７３は、本体部７１内に引っ込み、ケース４３に設けられたストッパ５３と係合した状態が解除され、撮影位置にロックされている椅子２４は、図１０中矢印Ａ１方向への回動可能な状態となる。
【００５２】
利用者は、椅子２４を図９中矢印Ａ１方向に回動操作すると、椅子２４が取り付けられたリンクアーム４２に一体的に取り付けられている回動支持体４１は、図９及び図１０中矢印Ａ１方向に回動する。すると、トグル部材４７は、付勢力に抗して伸長し、最大に伸長する中立点を過ぎると、回動支持体４１を図９及び図１０中矢印Ａ１方向に回動付勢し、回動支持体４１は、ケース４３に設けられた第２の回動規制片４９に突き当てられた状態に保持される。したがって、回動支持体４１に一体的に取り付けられている椅子２４は、図１２に示すように、待避位置に保持されることになる。
【００５３】
なお、椅子２４を待避位置から撮影位置に戻すときには、ラッチ５４の被押圧部７２は、ラッチ５４の押圧部６９を押圧した状態にあり、ロックされていない。したがって、利用者は、椅子２４を図９及び図１０中矢印Ａ２方向に回動するだけで、回動支持体４１を同方向に回動し、椅子２４を撮影位置に戻すことができる。
【００５４】
なお、ラッチ５４には、図１０に示すように、被押圧部７２が押圧レバー６５の押圧部６９によって押圧されたことを検出する検出部７４が設けられている。
この検出部７４は、被押圧部７２が押圧された否かを検出することで、椅子２４が撮影位置にあるか待避位置にあるかを検出することができる。椅子２４が撮影位置にあるときは、操作部材５２のロック解除操作がされない限り、被押圧部７２は押圧レバー６５の押圧部６９によって押圧されないからである。
【００５５】
ところで、椅子２４には、被写体となる人物が着座したとき、椅子２４を下側から支持する支持機構８１が設けられている。この支持機構８１は、図１３に示すように、リンクアーム４２に一体的に取り付けられるスリーブ８２と、椅子２４の下面に取り付けられ椅子２４を支持する支持部材８３とを備える。支持部材８３は、スリーブ８２に、図１３中矢印Ｅ１方向及びＥ２方向に移動可能に挿通され、基端部側が椅子２４の下面に固定される。また、支持部材８２には、先端部に、椅子２４を支持するための支持部８４が設けられている。また、支持部材８３には、スリーブ８２の下側の端面に当接するフランジ状の規制部８６が設けられている。規制部８６は、スリーブ８２の下側の端面に当接することで、支持部材８３が上側となる図１３中矢印Ｅ１方向に移動し過ぎることを防止する。
【００５６】
支持部材８３の基端部側には、スリーブ８２の上側の端面と椅子２４の下面との間に、コイルバネ等からなる付勢部材８５が巻装される。この付勢部材８５は、リンクアーム４２に固定されているスリーブ８２の上側の端面と支持部材８３の基端部に固定された椅子２４の下面との間に配設されることで、椅子２４が固定されている支持部材８３を設置面２と離間する方向となる図１３中矢印Ｅ１方向に付勢する。
【００５７】
すなわち、椅子２４は、人が着座していないとき、スリーブ８２の上側の端面と椅子２４の下面との間に配設された付勢部材８５によって、図１３中矢印Ｅ１方向に付勢され、例えば、５ｍｍ程度上側に持ち上がった状態となっている。したがって、椅子２４の下面に固定されている支持部材８３も同方向に移動し、先端部の支持部８４は、設置面２と離間した状態にある。通常、椅子２４の撮影位置から待避位置への移動は、人が着座していない状態で行われる。したがって、椅子２４の回動操作は、支持部８４が設置面２に接触していない状態、すなわち支持部８４と設置面２との間に摩擦がない状態で行うことができる。すなわち、利用者は、円滑に弱い力で椅子２４の回動操作を行うことができる。したがって、上述した椅子２４の回動支持機構４０により回動速度は、トグル部材４７の付勢力の調整のみで行うことができる。
【００５８】
一方、撮影位置にある椅子２４に被写体となる人物が着座すると、その人物の体重によって、付勢部材８５は、収縮する。すなわち、椅子２４は、設置面２の方向に沈む。すると、椅子２４の下面に固定されている支持部材８３も図１３中矢印Ｅ２方向に移動し、支持部８４は、設置面２に接触し、椅子２４を支持する。したがって、椅子２４は、利用者が着座する撮影位置にあるとき、支持部８４によって設置面２に支持されることになり、椅子２４に被写体となる人物が座ったときの椅子２４のがたつきを防止することができる。
【００５９】
次に、背面部１２に内蔵されたメイン基板２１等に組み込まれた制御回路について図１４を参照して説明すると、この制御回路９０は、装置の動作に必要なプログラムが記憶されるＲＯＭ（Ｒｅａｄ−Ｏｎｌｙ　Ｍｅｍｏｒｙ）９１と、装置の動作に必要なアプリケーションプログラム等が記憶されるハードディスク等からなるプログラム記憶部９２と、ＲＯＭ９１やプログラム記憶部９２に保存されているプログラムがロードされるＲＡＭ（Ｒａｎｄｏｍ−Ａｃｃｅｓｓ　Ｍｅｍｏｒｙ）９３と、料金投入部２９より投入された金額等を判断し課金処理を行う課金処理部９４と、音声を出力する音声出力部９５と、音声データを可聴音として出力するスピーカ９６と、外部記憶装置が装着されるドライブ９７と、全体の動作を制御するＣＰＵ（Ｃｅｎｔｒａｌ　Ｐｒｏｃｅｓｓｉｎｇ　Ｕｎｉｔ）等の制御部９８とを備え、これらは、バス９９を介して接続されている。また、このバス９９には、撮像部１７を構成する撮像装置１７ａ、照明器具２６，２７，２８、撮影室１６に被写体が入ったかどうかを検出する被写体検出部３２、椅子２４が待機位置にあることを検出する検出部７４等が接続されている。
【００６０】
次に、図１５を参照して、撮影装置１の動作を説明する。ステップＳ１において、制御部９８は、椅子２４が待避位置にあるかどうか、すなわち車椅子が撮影室１６に進入可能な状態にあるかどうかを判断する。具体的に、図１０に示すように、制御部９８は、回動支持機構４０を構成する検出部７４がラッチ５４の被押圧部７２が押圧部６９によって押圧された否かを検出するを検出する。そして、押圧部６９によってラッチ５４の被押圧部７２が押圧レバー６５の押圧部６９によって押圧されたとき、椅子２４が待避位置にあることを検出する。制御部９８は、椅子２４が撮影位置にあるとき、被写体となる人物が椅子２４に座る人であると判断し、ステップＳ２に進み、通常モード、すなわち被写体となる人が椅子２４に座って撮影するモードに移る。また、制御部９８は、検出部７４がラッチ５４の被押圧部７２が押圧部６９によって押圧されていることを検出したとき、椅子２４が待避位置にあると判断し、ステップＳ９に進み、車椅子専用のモードに移る。車椅子専用のモードは、車椅子に乗った人は車椅子に乗っていない人に比べて撮影位置の位置決め等に時間がかかることから、撮影までの時間が長くなるようになっている。
【００６１】
通常のモードのとき、ステップＳ２において、制御部９８は、ユーザが撮影位置についたかどうかを判断する。すなわち、被写体検出部３２は、赤外線センサ等で構成されており、被写体のなる人が椅子２４に座って膝を位置決め凹部３１に係合された撮影位置についているかを検出する。制御部９８は、被写体検出部３２が撮影位置についていることを検出したとき、ステップＳ３に進み、検出していないときステップＳ２を繰り返す。
【００６２】
ステップＳ３において、制御部９８は、音声出力部９５を介して料金を料金投入部２９に投入するようにアナウンスする。すなわち、音声出力部９５は、「料金をお入れください。」等のメッセージをスピーカ９６より可聴音で出力する。
【００６３】
これを受けて、被写体となる人は、料金投入部２９より必要な料金を投入する。このとき、料金投入部２９は、比較的手に届き易い位置に設けられていることから、被写体となる人は、椅子若しくは車椅子に座ったままの状態で、容易に料金を料金投入部２９に投入することができる。また、料金投入部２９は、一方の側壁１３側に設けられていることから、介護者も入り口２３より手を伸ばして容易に料金投入部２９より料金を投入することができる。
【００６４】
ステップＳ４において、制御部９８は、料金投入部２９より所定金額が投入されたかどうかを判断する。具体的に、課金処理部９４は、料金投入部２９より投入された金額を判断し、不足しているときは金額の追加を求め、多いときには、おつりを算出し返金する。そして、課金処理部９４は、課金が完了したことを制御部９８に出力し、これによって、制御部９８は、課金処理が終了したかを判断する。制御部９８は、課金処理が終了していないとき、ステップＳ３に戻り、再度、料金を投入するように再アナウンスする。
【００６５】
ステップＳ６において、制御部９８は、音声出力部９５を介して写真撮影を開始する旨をアナウンスする。例えば、音声出力部９５は、「これより写真撮影を開始します。」等のメッセージをスピーカ９６より可聴音で出力する。
【００６６】
所定時間が経過すると、制御部９８は、ステップＳ６において、被写体の撮影を行う。制御部９８は、撮像装置１７ａを駆動すると、この撮像装置１７ａは、取り込んだ光を光電変換し出力する。このとき、照明器具２６，２７，２８は、発光体２を発光する。照明器具２６，２７は、被写体の左右斜め前方から光を被写体に光を照射するようにすることで、被写体の顔の額と顎との間、すなわち顔の上下で照明差が発生しないようにし、また、しわに影が発生しないように写真を撮ることができるようにする。また、照明器具２６，２７は、左右で照明差を設けて発光することから、柔らかな影を有する立体的な写真を撮ることができるようにする。
【００６７】
ステップＳ７において、制御部９８は、音声出力部９５を介して写真撮影が終了した旨をアナウンスする。例えば、音声出力部９５は、「写真撮影を終了しました。」等のメッセージをスピーカ９６より可聴音で出力する。
【００６８】
ステップＳ８において、制御部９８は、撮像装置１７ａのデータを第１のプリンタ１８若しくは第２のプリンタ１９に出力し、第１のプリンタ１８若しくは第２のプリンタ１９は、入力されたデータに基づいて印画紙に印刷をする。そして、第１のプリンタ１８若しくは第２のプリンタ１９は、画像を印刷した印画紙を写真排出口３８に排出する。
【００６９】
なお、制御部９８は、ステップＳ１において、椅子２４が待避位置にあると判断したとき、車椅子の専用のモードとなり、ステップＳ９からステップＳ１４までの処理を行う。ステップＳ９からステップＳ１４までの処理は、上述したステップＳ２からステップＳ６までの処理と略同じであるため省略する。但し、ステップＳ１３は、ステップＳ１２の撮影開始のアナウンスから写真撮影を開始するまでの時間がステップＳ６の場合より長くなる。これは、車椅子に乗った者は、車椅子に乗っていない者と比べて写真撮影の準備に時間を要するためである。
【００７０】
また、ドライブ９７には、記録可能な追記型若しくは書換え型の光ディスク、光磁気ディスク、磁気ディスク、ＩＣカード等のリムーバル記録媒体７９を装着することができる。これらリムーバル記録媒体７９には、例えば撮像部１７で撮影した被写体の画像データが保存される。リムーバル記録媒体７９に保存された画像データは、例えば他の情報処理装置を用いて読み出し、電子カルテ等の患者の顔写真として用いることができる。この患者の画像データは、リムーバル記録媒体７９を用いるほか、ＬＡＮ（Ｌｏｃａｌ　Ａｒｅａ　Ｎｅｔｗｏｒｋ）等のネットワークに接続された送受信部を介して上記他の情報処理装置に送信するようにしてもよい。更に、このドライブ７０は、ＲＯＭ型の光ディスク等のリムーバル記録媒体７９を装着し、本装置１を動作させるのに必要なアプリケーションプログラムをプログラム記憶部９２にインストールするのに用いるようにしてもよい。勿論、プログラム記憶部９２等にインストールするプログラムは、上記送受信部を介してダウンロードしてインストールするようにしてもよい。
【００７１】
以上のように構成された撮影装置１では、撮影室の床が設置面２と面一になっていることから、段差がなく、車椅子等に乗った患者も、車椅子等に乗ったまま撮影室１６に入ることができる。また、この撮影装置１は、病院等に設置されるものであり、健常者だけでなく車椅子に乗った者や松葉杖をついた者の利用することから、例えば入り口２３より撮影室１６に入るときに、一方の側壁１３等に当たってしまうことがあるが、この撮影装置１は、他方の側壁１４を一方の側壁１３より長く形成し、また、一方の側壁１３を転倒防止部材２２で設置面２に固定し、更には、天板１５を側壁１３，１４より比重の軽い材料で形成し、重心が下方に来るように組み立てられていることから、利用者が撮影室１６に入るときにぶつかって衝撃が加わったときにも、設置位置がずれたり転倒することを確実に防止することができる。更に、撮影室１６に入るときには、第１乃至第３の手摺り３４〜３６を使うことができることから、撮影室１６に入る作業を容易に行うことができるとともに撮影位置の位置決めも容易に行うことができる。
【００７２】
また、この撮影装置１では、回動支持機構４０により、椅子２４を撮影室１６より待避させることができる。したがって、車椅子に乗った患者は、椅子２４を待避位置に移動させることで、車椅子に乗ったまま撮影室１６に入ることができる。この椅子２４は、撮影室１６に設置されているとき、支持機構８１で確実に支持され、患者等の被写体は、安定した状態で椅子２４に座ることができる。また、料金を支払うときおいて、料金投入部２９は、一方の側壁１３側、すなわち入り口２３の近くに設けられていることから、介護者が手を伸ばすだけで容易に料金を料金投入部２９に投入することができる。
【００７３】
また、この椅子２４の回動支持機構４０は、長い方の他方の側壁１４側に設けられ、撮影室１６への入り口２３側には設けられていないことから、車椅子に乗った人も、容易に撮影室１６への出入りを行うことができる。この回動操作機構４０は、トグル部材４７を用いることで、椅子２４の位置を撮影位置と待避位置の２ポジションのみにすることができ、また、トグル部材４７を用いることで、利用者の回動操作力を小さくすることができる。また、この回動操作機構４０では、撮影位置を椅子２４の基準位置とし、ロック機構５１によって、撮影位置にロックするようにしている。したがって、利用者は、安全に椅子２４に座ったり、また、椅子２４から立ったりすることができる。また、利用者が椅子２４に着座したときには、支持機構８１の支持部８４が設置面２に接触することで、椅子２４のがたつきを防止することでき、撮影時に、椅子２４のがたつきによって体がぶれてしまうことを防止することができる。
【００７４】
椅子２４を撮影位置から待避位置に回動する際には、操作部材５２を回動操作することで、椅子２４のロックを解除することができ、更にトグル部材４７の付勢力を用いて椅子２４を回動しているため、椅子２４の回動操作に必要な力を小さくすることができる。椅子２４を撮影位置から待避位置に回動操作をするとき、支持部８４には、付勢部材８５の付勢力により設置面２から離間する方向に移動し、支持部８４が設置面２から離間することから、円滑に椅子２４の回動操作を行うことができる。また、椅子２４の回動操作時において、支持部８４が設置面２から離間することから、椅子２４の回動速度等の調整は、トグル部材４７の付勢力の調整のみによって行うことができる。更に、回動支持機構４０において、図１０に示すように、回動支持体４１が略円筒状に形成され、開口部４５の折り曲げ部４５ａが略円弧状に形成されることで、回動支持体４１と折り曲げ部４５ａとの境界部から、利用者の指等が挟まれないようにすることができる。
【００７５】
以上、病院等に設置される撮影装置１を例にとり説明したが、本発明は、これに限定されるものではなく、例えば街角等に設置される証明写真装置やゲームセンタ等に設置される装置に適用することもできる。これによって、街角やゲームセンタ等に設置された装置も、身体障害者にとって使いやすいものとなる。
【００７６】
【発明の効果】
本発明によれば、椅子を撮影室内の撮影位置と撮影室外の待避位置に回動操作することができる。例えば、車椅子に乗った人は、椅子を待避位置に移動させて、車椅子のまま撮影室に入ることができる。また、松葉杖をついた人は、椅子を撮影位置に移動して着座して撮影を行うことができる。
【図面の簡単な説明】
【図１】本発明を適用した撮影装置を正面側から見た斜視図である。
【図２】上記撮影装置を背面側から見た斜視図である。
【図３】上記撮影装置の透視平面図である。
【図４】撮影室に設けられた左右一対の照明器具を説明する平面図である。
【図５】従来の方法、すなわち被写体を正面斜め上方から照射して撮影した写真を説明する図である。
【図６】図４に説明する照明器具を用いて被写体を左右斜め前方から照射して撮影した写真を説明する図である。
【図７】上記撮影装置を正面側から見た図であって、カーテンを閉めた状態を説明する図である。
【図８】撮影室内の撮影位置にある椅子の状態を示す斜視図である。
【図９】椅子の回動支持機構を説明する平面図である。
【図１０】上記回動支持機構の回動支持体近傍を説明する要部平面図である。
【図１１】回動支持機構を構成するスライドレバーを説明する要部平面図である。
【図１２】撮影室外の待避位置にある椅子の状態を示す斜視図である。
【図１３】椅子の支持機構を説明する正面図である。
【図１４】制御回路の説明をするブロック図である。
【図１５】上記制御回路の動作を説明するフローチャートである。
【図１６】従来の撮影装置を説明する側面図である。
【符号の説明】
１　撮影装置、２　設置面、１１　筐体、１２　背面部、１３　一方の側壁、１４　他方の側壁、１５　天板、１６ａ　撮影面、１６ｂ　第１の照射面、１６ｃ第２の照射面、１７　撮像部、１７ａ　撮像器具、１７ｂ　ハーフミラー、１７ｃ　反射板、１８，１９　プリンタ、４０　回動支持機構、４１　回動支持体、４２　リンクアーム、４３　ケース、４４　支軸、４５　開口部、４７　トグル無罪、４８　第１の回動規制部、４９　第２の回動規制部、５１　ロック機構、５２　操作部材、５３　ストッパ、５４　ラッチ、５５　グリップ、５６　支軸、５７　付勢部材、６１　伝達機構、６２　変換レバー、６３　スライド操作レバー、６４　スライドレバー、６５　押圧レバー、６９　押圧部、７２　被押圧部、７３　規制部、９０　制御回路
【図１】
2004093966.tif 000003
【図２】
2004093966.tif 000004
【図３】
2004093966.tif 000005
【図４】
2004093966.tif 000006
【図５】
2004093966.tif 000007
【図６】
2004093966.tif 000008
【図７】
2004093966.tif 000009
【図８】
2004093966.tif 000010
【図９】
2004093966.tif 000011
【図１０】
2004093966.tif 000012
【図１１】
2004093966.tif 000013
【図１２】
2004093966.tif 000014
【図１３】
2004093966.tif 000015
【図１４】
2004093966.tif 000016
【図１５】
2004093966.tif 000017
【図１６】
2004093966.tif 000018